(57)【要約】  第1のeNBが、1つまたは複数のネットワークファクタに基づいてD2D通信のために割り振るリソースのセットを決定するように動作可能であり、D2D通信のために割り振られたリソースのセットを送信できる、ワイヤレス通信のための方法、装置、およびコンピュータプログラム製品が提供される。第1のUEが、D2D通信のために割り振られたリソースのセットを受信できる。第2のUEが、第2のeNBによってD2D通信のために割り振られたリソースのセットを第1のUEに通知できる。第1のUEは、1つまたは複数のD2Dリソース決定計画に基づいて、第2のUEとのD2D通信に使用するためのリソースのサブセットを決定し、決定されたサブセットを第1のeNBにシグナリングすることができる。第1のeNBは、リソースのサブセットを受信し、リソースのサブセットがD2D通信のために割り振られたことを示す制御信号を送信することができる。
2015517779.tif 000002
【特許請求の範囲】
【請求項１】
ワイヤレス通信の方法であって、
第1のeNBによってデバイス間(D2D)通信のために割り振られたリソースのセットを示す制御信号を、第1のUEによって受信するステップと、
1つまたは複数のD2Dリソース決定計画に基づいて第2のUEとのD2D通信に使用するためのリソースのサブセットを決定するステップであって、前記第2のUEによる使用のために第2のeNBによってD2D通信のために割り振られたリソースのセットの少なくとも一部分が、前記第1のeNBによってD2D通信のために割り振られた前記リソースのセットと異なる、決定するステップと、
前記決定されたリソースのサブセットを前記第1のeNBにシグナリングするステップと、
共有チャネル上でD2D通信中に使用するための前記リソースのサブセットを示す識別子を、制御チャネル上で受信するステップとを含む、方法。
【請求項２】
前記制御信号が、無線リソース制御信号を含む、請求項1に記載の方法。
【請求項３】
D2D通信のために割り振られた前記リソースのセットが、システム情報ブロック(SIB)内で示される、請求項1に記載の方法。
【請求項４】
前記1つまたは複数のD2Dリソース決定計画のうちの1つが、前記第1のUEと前記第2のUEとの間でビットパターン情報を交換するステップを含み、前記第1のUEが前記第2のUEをページングする、請求項1に記載の方法。
【請求項５】
前記1つまたは複数のD2Dリソース決定計画のうちの1つが、
発見空間を区分に分割する情報を受信するステップと、
異なる区分に対する、D2D通信のためのリソース割振りの異なるパターンのマッピングを受信するステップとを含む、請求項1に記載の方法。
【請求項６】
前記第1のeNBによってD2D通信のために割り振られた前記リソースのセットを示す前記受信された制御信号に基づいて、前記発見空間の区分のうちの1つの中のピア発見信号をブロードキャストするステップをさらに含む、請求項5に記載の方法。
【請求項７】
前記1つまたは複数のD2Dリソース決定計画のうちの1つが、
D2D通信のために割り振られたリソースの数を有するセル識別子を受信するステップと、
D2D通信に利用可能なリソースのセットに対する前記セル識別子のマッピングを受信するステップとを含む、請求項1に記載の方法。
【請求項８】
前記受信されたセル識別子に基づいて前記D2D通信をスケジューリングするステップをさらに含む、請求項7に記載の方法。
【請求項９】
前記リソースのサブセットが、
隣接セル内のD2Dリソース割振りのセットか、または
1つまたは複数の特定されたリソースに対する干渉レベルのうちの少なくとも一方に基づいて決定される、請求項1に記載の方法。
【請求項１０】
ワイヤレス通信の方法であって、
1つまたは複数のネットワークファクタに基づいてD2D通信に割り振るためのリソースのセットを、第1のeNBによって決定するステップであって、第2のeNBによってD2D通信のために割り振られたリソースのセットの少なくとも一部分が、前記第1のeNBによってD2D通信のために割り振られた前記リソースのセットと異なる、決定するステップと、
D2D通信のために割り振られた前記リソースのセットを示す制御信号を送信するステップとを含む、方法。
【請求項１１】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項10に記載の方法。
【請求項１２】
前記第2のeNBとのX2インターフェース上で前記第2のeNBによってD2D通信のために割り振られた、前記1つまたは複数のネットワークファクタおよび前記リソースのセットのうちの少なくとも一部分を受信するステップをさらに含む、請求項10に記載の方法。
【請求項１３】
前記決定するステップが、前記第2のeNBによってD2D通信のために割り振られたリソースのセットに対して、D2D通信のために使用されるべき1つまたは複数のリソースのサブセットに対する優先順位を決定するステップをさらに含み、
前記送信するステップが、前記1つまたは複数のリソースのサブセットの前記優先順位を送信するステップをさらに含む、請求項10に記載の方法。
【請求項１４】
前記送信するステップが、
前記優先順位に対してローカルセルIDをマッピングする表を送信するステップをさらに含む、請求項13に記載の方法。
【請求項１５】
D2D通信のために割り振られた前記リソースのセットからUEによって選択されたリソースのサブセットを示す信号を受信するステップと、
D2D通信中に使用するための前記リソースのサブセットを示す識別子を、制御チャネル上で送信するステップとをさらに含む、請求項10に記載の方法。
【請求項１６】
ワイヤレス通信のための装置であって、
第1のeNBによってデバイス間(D2D)通信のために割り振られたリソースのセットを示す制御信号を、第1のUEによって受信するための手段と、
1つまたは複数のD2Dリソース決定計画に基づいて第2のUEとのD2D通信に使用するためのリソースのサブセットを決定するための手段であって、前記第2のUEによって使用するために第2のeNBによってD2D通信のために割り振られたリソースのセットの少なくとも一部分が、前記第1のeNBによってD2D通信のために割り振られた前記リソースのセットと異なる、決定するための手段と、
前記決定されたリソースのサブセットを前記第1のeNBにシグナリングするための手段と、
共有チャネル上でD2D通信中に使用するための前記リソースのサブセットを示す識別子を、制御チャネル上で受信するための手段とを含む、装置。
【請求項１７】
前記制御信号が、無線リソース制御信号を含む、請求項16に記載の装置。
【請求項１８】
D2D通信のために割り振られた前記リソースのセットが、システム情報ブロック(SIB)内で示される、請求項16に記載の装置。
【請求項１９】
前記1つまたは複数のD2Dリソース決定計画のうちの1つが、前記第1のUEと前記第2のUEとの間でビットパターン情報を交換するための手段を含み、前記第1のUEが前記第2のUEをページングする、請求項16に記載の装置。
【請求項２０】
前記1つまたは複数のD2Dリソース決定計画のうちの1つが、
発見空間を区分に分割する情報を受信するための手段と、
異なる区分に対する、D2D通信のためのリソース割振りの異なるパターンのマッピングを受信するための手段とを含む、請求項16に記載の装置。
【請求項２１】
前記第1のeNBによってD2D通信のために割り振られた前記リソースのセットを示す前記受信された制御信号に基づいて、前記発見空間の区分のうちの1つの中のピア発見信号をブロードキャストするための手段をさらに含む、請求項20に記載の装置。
【請求項２２】
前記1つまたは複数のD2Dリソース決定計画のうちの1つが、
D2D通信のために割り振られた前記リソースの数を有するセル識別子を受信するための手段と、
D2D通信に利用可能なリソースのセットに対する前記セル識別子のマッピングを受信するための手段とを含む、請求項16に記載の装置。
【請求項２３】
前記受信されたセル識別子に基づいて前記D2D通信をスケジューリングするための手段をさらに含む、請求項22に記載の装置。
【請求項２４】
前記リソースのサブセットが、
隣接セル内のD2Dリソース割振りのセットか、または
1つまたは複数の特定されたリソースに対する干渉レベルのうちの少なくとも一方に基づいて決定される、請求項16に記載の装置。
【請求項２５】
ワイヤレス通信のための装置であって、
1つまたは複数のネットワークファクタに基づいてD2D通信に割り振るためのリソースのセットを、第1のeNBによって決定するための手段であって、第2のeNBによってD2D通信のために割り振られたリソースのセットの少なくとも一部分が、前記第1のeNBによってD2D通信のために割り振られた前記リソースのセットと異なる、決定するための手段と、
D2D通信のために割り振られた前記リソースのセットを示す制御信号を送信するための手段とを含む、装置。
【請求項２６】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項25に記載の装置。
【請求項２７】
前記第2のeNBとのX2インターフェース上で前記第2のeNBによってD2D通信のために割り振られた、前記1つまたは複数のネットワークファクタおよび前記リソースのセットのうちの少なくとも一部分を受信するための手段をさらに含む、請求項25に記載の装置。
【請求項２８】
前記決定するための手段が、前記第2のeNBによってD2D通信のために割り振られたリソースのセットに対して、D2D通信のために使用されるべき1つまたは複数のリソースのサブセットに対する優先順位を決定するための手段をさらに含み、
前記送信するための手段が、前記1つまたは複数のリソースのサブセットの前記優先順位を送信するための手段をさらに含む、請求項25に記載の装置。
【請求項２９】
前記送信するための手段が、
前記優先順位に対してローカルセルIDをマッピングする表を送信するための手段をさらに含む、請求項28に記載の装置。
【請求項３０】
D2D通信のために割り振られた前記リソースのセットからUEによって選択されたリソースのサブセットを含む信号を受信するための手段と、
D2D通信中に使用するための前記リソースのサブセットを示す識別子を、制御チャネル上で送信するための手段とをさらに含む、請求項25に記載の装置。
【請求項３１】
コンピュータ可読媒体を備え、前記コンピュータ可読媒体が、
第1のeNBによってデバイス間(D2D)通信のために割り振られたリソースのセットを示す制御信号を、第1のUEによって受信することと、
1つまたは複数のD2Dリソース決定計画に基づいて第2のUEとのD2D通信に使用するためのリソースのサブセットを決定することであって、前記第2のUEによって使用するために第2のeNBによってD2D通信のために割り振られたリソースのセットの少なくとも一部分が、前記第1のeNBによってD2D通信のために割り振られた前記リソースのセットと異なる、決定することと、
前記決定されたリソースのサブセットを前記第1のeNBにシグナリングすることと、
共有チャネル上でD2D通信中に使用するための前記リソースのサブセットを示す識別子を、制御チャネル上で受信することとを行うためのコードを含む、コンピュータプログラム製品。
【請求項３２】
前記制御信号が、無線リソース制御信号を含む、請求項31に記載のコンピュータプログラム製品。
【請求項３３】
D2D通信のために割り振られた前記リソースのセットが、システム情報ブロック(SIB)内で示される、請求項31に記載のコンピュータプログラム製品。
【請求項３４】
前記1つまたは複数のD2Dリソース決定計画のうちの1つが、前記第1のUEと前記第2のUEとの間でビットパターン情報を交換するためのコードを含み、前記第1のUEが前記第2のUEをページングする、請求項31に記載のコンピュータプログラム製品。
【請求項３５】
前記1つまたは複数のD2Dリソース決定計画のうちの1つが、
発見空間を区分に分割する情報を受信することと、
異なる区分に対する、D2D通信のためのリソース割振りの異なるパターンのマッピングを受信することとを行うためのコードを含む、請求項31に記載のコンピュータプログラム製品。
【請求項３６】
前記第1のeNBによってD2D通信のために割り振られた前記リソースのセットを示す前記受信された制御信号に基づいて、前記発見空間の区分のうちの1つの中のピア発見信号をブロードキャストするためのコードをさらに含む、請求項35に記載のコンピュータプログラム製品。
【請求項３７】
前記1つまたは複数のD2Dリソース決定計画のうちの1つが、
D2D通信のために割り振られた前記リソースの数を有するセル識別子を受信することと、
D2D通信に利用可能なリソースのセットに対する前記セル識別子のマッピングを受信することとを行うためのコードを含む、請求項31に記載のコンピュータプログラム製品。
【請求項３８】
前記受信されたセル識別子に基づいて前記D2D通信をスケジューリングするためのコードをさらに含む、請求項37に記載のコンピュータプログラム製品。
【請求項３９】
前記リソースのサブセットが、
隣接セル内のD2Dリソース割振りのセットか、または
1つまたは複数の特定されたリソースに対する干渉レベルのうちの少なくとも一方に基づいて決定される、請求項31に記載のコンピュータプログラム製品。
【請求項４０】
コンピュータ可読媒体を備え、前記コンピュータ可読媒体が、
1つまたは複数のネットワークファクタに基づいてD2D通信に割り振るためのリソースのセットを、第1のeNBによって決定することであって、第2のeNBによってD2D通信のために割り振られたリソースのセットの少なくとも一部分が、前記第1のeNBによってD2D通信のために割り振られた前記リソースのセットと異なる、決定することと、
D2D通信のために割り振られた前記リソースのセットを示す制御信号を送信することとを行うためのコードを含む、コンピュータプログラム製品。
【請求項４１】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項40に記載のコンピュータプログラム製品。
【請求項４２】
前記第2のeNBとのX2インターフェース上で前記第2のeNBによってD2D通信のために割り振られた、前記1つまたは複数のネットワークファクタおよび前記リソースのセットのうちの少なくとも一部分を受信するためのコードをさらに含む、請求項40に記載のコンピュータプログラム製品。
【請求項４３】
前記決定するためのコードが、前記第2のeNBによってD2D通信のために割り振られたリソースのセットに対して、D2D通信のために使用されるべき1つまたは複数のリソースのサブセットに対する優先順位を決定するためのコードをさらに含み、
前記送信するためのコードが、前記1つまたは複数のリソースのサブセットの前記優先順位を送信するためのコードをさらに含む、請求項40に記載のコンピュータプログラム製品。
【請求項４４】
前記送信するためのコードが、
前記優先順位に対してローカルセルIDをマッピングする表を送信するためのコードをさらに含む、請求項43に記載のコンピュータプログラム製品。
【請求項４５】
D2D通信のために割り振られた前記リソースのセットからUEによって選択されたリソースのサブセットを示す信号を受信することと、
D2D通信中に使用するための前記リソースのサブセットを示す識別子を、制御チャネル上で送信することとを行うためのコードをさらに含む、請求項40に記載のコンピュータプログラム製品。
【請求項４６】
ワイヤレス通信のための装置であって、
第1のeNBによってデバイス間(D2D)通信のために割り振られたリソースのセットを示す制御信号を受信することと、
1つまたは複数のD2Dリソース決定計画に基づいて第2のUEとのD2D通信に使用するためのリソースのサブセットを決定することであって、前記第2のUEによって使用するために第2のeNBによってD2D通信のために割り振られたリソースのセットの少なくとも一部分が、前記第1のeNBによってD2D通信のために割り振られた前記リソースのセットと異なる、決定することと、
前記決定されたリソースのサブセットを前記第1のeNBにシグナリングすることと、
共有チャネル上でD2D通信中に使用するための前記リソースのサブセットを示す識別子を、制御チャネル上で受信することとを行うように構成された処理システムを備える、装置。
【請求項４７】
前記制御信号が、無線リソース制御信号を含む、請求項46に記載の装置。
【請求項４８】
D2D通信のために割り振られた前記リソースのセットが、システム情報ブロック(SIB)内で示される、請求項46に記載の装置。
【請求項４９】
前記処理システムが、第1のUEと第2のUEとの間でビットパターン情報を交換するようにさらに構成され、前記第1のUEが前記第2のUEをページングする、請求項46に記載の装置。
【請求項５０】
前記処理システムが、
発見空間を区分に分割する情報を受信することと、
異なる区分に対する、D2D通信のためのリソース割振りの異なるパターンのマッピングを受信することとを行うようにさらに構成される、請求項46に記載の装置。
【請求項５１】
前記処理システムが、
前記第1のeNBによってD2D通信のために割り振られた前記リソースのセットを示す前記受信された制御信号に基づいて、前記発見空間の区分のうちの1つの中のピア発見信号をブロードキャストするようにさらに構成される、請求項50に記載の装置。
【請求項５２】
前記処理システムが、
D2D通信のために割り振られた前記リソースの数を有するセル識別子を受信することと、
D2D通信に利用可能なリソースのセットに対する前記セル識別子のマッピングを受信することとを行うようにさらに構成される、請求項46に記載の装置。
【請求項５３】
前記処理システムが、
前記受信されたセル識別子に基づいて前記D2D通信をスケジューリングするようにさらに構成される、請求項52に記載の装置。
【請求項５４】
前記リソースのサブセットが、
隣接セル内のD2Dリソース割振りのセットか、または
1つまたは複数の特定されたリソースに対する干渉レベルのうちの少なくとも一方に基づいて決定される、請求項46に記載の装置。
【請求項５５】
ワイヤレス通信のための装置であって、
1つまたは複数のネットワークファクタに基づいてD2D通信に割り振るためのリソースのセットを決定することであって、第2のeNBによってD2D通信のために割り振られたリソースのセットの少なくとも一部分が、第1のeNBによってD2D通信のために割り振られた前記リソースのセットと異なる、決定することと、
D2D通信のために割り振られた前記リソースのセットを示す制御信号を送信することとを行うように構成された処理システムを備える、装置。
【請求項５６】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項55に記載の装置。
【請求項５７】
前記処理システムが、
前記第2のeNBとのX2インターフェース上で前記第2のeNBによってD2D通信のために割り振られた、前記1つまたは複数のネットワークファクタおよび前記リソースのセットのうちの少なくとも一部分を受信するようにさらに構成される、請求項55に記載の装置。
【請求項５８】
前記処理システムが、
前記第2のeNBによってD2D通信のために割り振られたリソースのセットに対して、D2D通信のために使用されるべき1つまたは複数のリソースのサブセットに対する優先順位を決定することと、
前記1つまたは複数のリソースのサブセットの前記優先順位を送信することとを行うようにさらに構成される、請求項55に記載の装置。
【請求項５９】
前記処理システムが、
前記優先順位に対してローカルセルIDをマッピングする表を送信するようにさらに構成される、請求項58に記載の装置。
【請求項６０】
前記処理システムが、
D2D通信のために割り振られた前記リソースのセットからUEによって選択されたリソースのサブセットを示す信号を受信することと、
D2D通信中に使用するための前記リソースのサブセットを示す識別子を、制御チャネル上で送信することとを行うようにさらに構成される、請求項55に記載の装置。
【発明の詳細な説明】
【技術分野】
【０００１】
本開示は、一般に、通信システムに関し、より詳細には、一対のデバイス間のデバイス間(D2D)通信に利用可能なリソースをユーザ機器(UE)が決定することを可能にするためのシステムに関する。
【背景技術】
【０００２】
電話、ビデオ、データ、メッセージング、および放送などの様々な遠隔通信サービスを提供するために、ワイヤレス通信システムが広範囲に配備されている。通常のワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが挙げられる。
【０００３】
ワイヤレス通信システムは、複数のUEと複数の発展型ノードB(eNB)とを含み得る。UEは異なるeNBに関連付けられてよく、eNBは異なるセルに関連付けられてよい。第1のセル内の第1のeNBに関連付けられる第1のUEおよび第2のセル内の第2のeNBに関連付けられる第2のUEは、D2D通信のために割り振られたリソースを使用して互いに直接通信するように動作可能である。隣接セル内のデバイスは、D2D通信のための異なるリソースのセットを割り振られることがある。したがって、異なるeNBに関連付けられたUE間のD2D通信に利用可能なリソースを決定するための方法および装置が望まれる。
【発明の概要】
【課題を解決するための手段】
【０００４】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００５】
1つまたは複数の態様およびその対応する開示によれば、様々な態様は、複数のeNBでサポートされる環境においてD2D通信のリソースの利用可能性を判断することに関して説明される。一例では、第1のeNBは、1つまたは複数のネットワークファクタに基づいてD2D通信のために割り振るリソースのセットを決定し、D2D通信のために割り振られたリソースのセットを送信するように動作可能である。第1のUEは、第1のeNBによってD2D通信のために割り振られたリソースのセットを示す制御信号を受信するように装備され得る。第2のUEは、第2のeNBによってD2D通信のために割り振られたリソースのセットを第1のUEに通知できる。UEは、1つまたは複数のD2Dリソース決定計画に基づいて、第2のUEとのD2D通信に使用するためのリソースのサブセットを決定し、決定されたサブセットを第1のeNBにシグナリングできるように装備され得る。第1のeNBは、UEによって選択されたリソースのサブセットを受信し、リソースのサブセットがD2D通信中の使用のために割り振られていることを示す制御信号を送信することができる。
【０００６】
関係する態様によれば、複数のeNBでサポートされる環境においてD2D通信のリソース利用可能性を決定する方法が提供される。方法は、第1のeNBによってD2D通信のために割り振られたリソースのセットを示す制御信号を、第1のUEによって受信するステップを含み得る。さらに、方法は、1つまたは複数のD2Dリソース決定計画に基づいて、第2のUEとのD2D通信に使用するためのリソースのサブセットを決定するステップを含み得る。一態様では、第2のUEによる使用のために第2のeNBによってD2D通信のために割り振られたリソースのセットの少なくとも一部分は、第1のeNBによってD2D通信のために割り振られたリソースのセットと異なることがある。さらに、方法は、決定されたリソースのサブセットを第1のeNBにシグナリングするステップを含み得る。その上、方法は、共有チャネル上でD2D通信中に使用するためのリソースのサブセットを示す識別子を、制御チャネル上で受信するステップを含み得る。
【０００７】
別の態様は、ワイヤレス通信装置に関する。ワイヤレス通信装置は、第1のeNBによってD2D通信のために割り振られたリソースのセットを示す制御信号を、第1のUEによって受信するための手段を含み得る。さらに、ワイヤレス通信装置は、1つまたは複数のD2Dリソース決定計画に基づいて、第2のUEとのD2D通信に使用するためのリソースのサブセットを決定するための手段を含み得る。一態様では、第2のUEによる使用のために第2のeNBによってD2D通信のために割り振られたリソースのセットの少なくとも一部分は、第1のeNBによってD2D通信のために割り振られたリソースのセットと異なることがある。さらに、ワイヤレス通信装置は、決定されたリソースのサブセットを第1のeNBにシグナリングするための手段を含み得る。その上、ワイヤレス通信装置は、共有チャネル上でD2D通信中に使用するためのリソースのサブセットを示す識別子を、制御チャネル上で受信するための手段を含み得る。
【０００８】
別の態様は、ワイヤレス通信装置に関する。装置は、第1のeNBによってD2D通信のために割り振られたリソースのセットを示す制御信号を受信するように構成された処理システムを含み得る。さらに、処理システムは、1つまたは複数のD2Dリソース決定計画に基づいて、第2のUEとのD2D通信に使用するためのリソースのサブセットを決定するように構成され得る。一態様では、第2のUEによる使用のために第2のeNBによってD2D通信のために割り振られたリソースのセットの少なくとも一部分は、第1のeNBによってD2D通信のために割り振られたリソースのセットと異なることがある。さらに、処理システムは、決定されたリソースのサブセットを第1のeNBにシグナリングするように構成され得る。その上、処理システムは、共有チャネル上でD2D通信中に使用するためのリソースのサブセットを示す識別子を、制御チャネル上で受信するように構成され得る。
【０００９】
別の態様は、第1のeNBによってD2D通信のために割り振られたリソースのセットを示す制御信号を、第1のUEによって受信するためのコードを含むコンピュータ可読媒体を有し得るコンピュータプログラム製品に関する。さらに、コンピュータ可読媒体は、1つまたは複数のD2Dリソース決定計画に基づいて、第2のUEとのD2D通信に使用するためのリソースのサブセットを決定するためのコードを含み得る。一態様では、第2のUEによる使用のために第2のeNBによってD2D通信のために割り振られたリソースのセットの少なくとも一部分は、第1のeNBによってD2D通信のために割り振られたリソースのセットと異なることがある。さらに、コンピュータ可読媒体は、決定されたリソースのサブセットを第1のeNBにシグナリングするためのコードを含み得る。その上、コンピュータ可読媒体は、共有チャネル上でD2D通信中に使用するためのリソースのサブセットを示す識別子を、制御チャネル上で受信するためのコードを含み得る。
【００１０】
別の関係する態様によれば、複数のeNBでサポートされる環境においてD2D通信のリソース利用可能性を決定する方法が提供される。方法は、1つまたは複数のネットワークファクタに基づいてD2D通信に割り振るためのリソースのセットを、第1のeNBによって決定するステップを含み得る。一態様では、第2のeNBによってD2D通信のために割り振られたリソースのセットの少なくとも一部分は、第1のeNBによってD2D通信のために割り振られたリソースのセットと異なることがある。その上、方法は、D2D通信のために割り振られたリソースのセットを示す制御信号を送信するステップを含み得る。
【００１１】
別の態様は、ワイヤレス通信装置に関する。ワイヤレス通信装置は、1つまたは複数のネットワークファクタに基づいてD2D通信に割り振るためのリソースのセットを、第1のeNBによって決定するための手段を含み得る。一態様では、第2のeNBによってD2D通信のために割り振られたリソースのセットの少なくとも一部分は、第1のeNBによってD2D通信のために割り振られたリソースのセットと異なることがある。その上、ワイヤレス通信装置は、D2D通信のために割り振られたリソースのセットを示す制御信号を送信するための手段を含み得る。
【００１２】
別の態様は、ワイヤレス通信装置に関する。装置は、1つまたは複数のネットワークファクタに基づいてD2D通信に割り振るためのリソースのセットを決定するように構成された処理システムを含み得る。一態様では、第2のeNBによってD2D通信のために割り振られたリソースのセットの少なくとも一部分は、第1のeNBによってD2D通信のために割り振られたリソースのセットと異なることがある。その上、処理システムは、D2D通信のために割り振られたリソースのセットを示す制御信号を送信するように構成され得る。
【００１３】
別の態様は、1つまたは複数のネットワークファクタに基づいてD2D通信に割り振るためのリソースのセットを、第1のeNBによって決定するためのコードを含むコンピュータ可読媒体を有し得るコンピュータプログラム製品に関する。一態様では、第2のeNBによってD2D通信のために割り振られたリソースのセットの少なくとも一部分は、第1のeNBによってD2D通信のために割り振られたリソースのセットと異なることがある。その上、コンピュータ可読媒体は、D2D通信のために割り振られたリソースのセットを示す制御信号を送信するためのコードを含み得る。
【００１４】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１５】
【図１】ネットワークアーキテクチャの一例を示す図である。
【図２】アクセスネットワークの一例を示す図である。
【図３】LTEにおけるDLフレーム構造の一例を示す図である。
【図４】ユーザプレーンおよび制御プレーンの無線プロトコルアーキテクチャの一例を示す図である。
【図５】ワイヤレスデバイス間のピアツーピア通信のための例示的な時間構造を示す図である。
【図６】1つのグランドフレームにおけるスーパーフレームの各フレームにおけるチャネルを示す図である。
【図７】種々のチャネルの動作タイムライン、および、ピア発見チャネルの構造を示す図である。
【図８】種々のチャネルの動作タイムライン、および接続識別子ブロードキャストの構造を示す図である。
【図９】アクセスネットワーク中の発展型ノードBおよびユーザ機器の一例を示す図である。
【図１０】一態様に従ってD2D通信が実行され得るアクセスネットワークの一例を示す図である。
【図１１】一態様による、アクセスネットワークにおける通信の呼フロー図である。
【図１２】ワイヤレス通信の方法のフローチャートである。
【図１３】例示的な装置における異なるモジュール/手段/構成要素間のデータフローを示す概念データフロー図である。
【図１４】処理システムを使用する装置のためのハードウェア実装の一例を示す図である。
【図１５】ワイヤレス通信の方法のフローチャートである。
【図１６】例示的な装置における異なるモジュール/手段/構成要素間のデータフローを示す概念データフロー図である。
【図１７】処理システムを使用する装置のためのハードウェア実装の一例を示す図である。
【発明を実施するための形態】
【００１６】
添付の図面に関する下記の詳細な説明は、様々な構成の説明として意図されており、本明細書で説明される概念が実行され得る唯一の構成を表すことは意図されていない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１７】
次に、電気通信システムのいくつかの態様を、様々な装置および方法を参照して提示する。これらの装置および方法は、以下の発明を実施するための形態で説明され、様々なブロック、モジュール、構成要素、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装することができる。そのような要素をハードウェアとして実装するか、またはソフトウェアとして実装するかは、特定の用途およびシステム全体に課される設計制約に依存する。
【００１８】
例として、要素または要素の任意の部分または要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、または他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１９】
したがって、1つまたは複数の例示的な実施形態では、説明する機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコードを搬送または記憶するために使用でき、かつコンピュータによってアクセスできる、任意の他の媒体を含み得る。本明細書で使用する場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００２０】
図1は、LTEネットワークアーキテクチャ100を示す図である。LTEネットワークアーキテクチャ100は、発展型パケットシステム(EPS)100と呼ばれることがある。EPS 100は、1つまたは複数のユーザ機器(UE)102と、発展型UMTS地上波無線アクセスネットワーク(E-UTRAN)104と、発展型パケットコア(EPC)110と、ホーム加入者サーバ(HSS)120と、事業者のIPサービス122とを含み得る。EPSは、他のアクセスネットワークと相互接続する可能性があるが、簡単にするために、それらのエンティティ/インターフェースは示していない。図示のように、EPSはパケット交換サービスを提供するが、当業者なら容易に諒解するように、本開示の全体を通して提示する様々な概念は、回線交換サービスを提供するネットワークに拡張することができる。
【００２１】
E-UTRANは、発展型ノードB(eNB)106および他のeNB 108を含む。eNB 106は、UE 102に対してユーザプレーンプロトコル終端と制御プレーンプロトコル終端とを与える。eNB 106は、X2インターフェース(たとえば、バックホール)を介して他のeNB 108に接続され得る。eNB 106は、基地局、トランシーバ基地局、無線基地局、無線トランシーバ、トランシーバ機能、基本サービスセット(BSS)、拡張サービスセット(ESS)と呼ばれるか、または他の何らかの適切な用語で呼ばれることもある。eNB 106は、UE 102にEPC 110へのアクセスポイントを与える。UE 102の例としては、セルラーフォン、スマートフォン、セッション開始プロトコル(SIP)フォン、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスが挙げられる。UE 102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００２２】
eNB 106は、S1インターフェースによってEPC 110に接続される。EPC 110は、モビリティ管理エンティティ(MME)112、他のMME 114、サービングゲートウェイ116、およびパケットデータネットワーク(PDN)ゲートウェイ118を含む。MME 112は、UE 102とEPC 110との間のシグナリングを処理する制御ノードである。一般に、MME 112は、ベアラおよび接続管理を提供する。すべてのユーザIPパケットは、サービングゲートウェイ116を介して転送され、サービングゲートウェイ116自体は、PDNゲートウェイ118に接続される。PDNゲートウェイ118は、UE IPアドレス割振りならびに他の機能を提供する。PDNゲートウェイ118は、事業者のIPサービス122に接続される。オペレータのIPサービス122は、インターネット、イントラネット、IPマルチメディアサブシステム(IMS)、およびPSストリーミングサービス(PSS)を含み得る。
【００２３】
図2は、LTEネットワークアーキテクチャにおけるアクセスネットワーク200の一例を示す図である。この例では、アクセスネットワーク200は、いくつかのセルラー領域(セル)202に分割される。1つまたは複数の低電力クラスeNB 208は、セル202のうちの1つまたは複数と重なるセルラー領域210を有することができる。低電力クラスeNB 208はリモート無線ヘッド(RRH)と呼ぶことができる。低電力クラスeNB 208は、フェムトセル(たとえば、ホームeNB(HeNB))、ピコセル、またはマイクロセルとすることができる。マクロeNB 204は各々、それぞれのセル202に割り当てられ、セル202中のすべてのUE 206にEPC 110へのアクセスポイントを提供するように構成される。アクセスネットワーク200のこの例では集中型コントローラはないが、代替構成では集中型コントローラが使用されてもよい。eNB 204は、無線ベアラ制御、アドミッション制御、モビリティ制御、スケジューリング、セキュリティ、およびサービングゲートウェイ116への接続性を含めた、すべての無線関連機能を担う。
【００２４】
さらに、ワイヤレスデバイス206、212、216、218のうちのいくつかは、ピアツーピア通信214で互いに通信することができ、いくつかは、基地局204と通信することができ、かついくつかは、両方を行うことができる。たとえば、図2に示すように、ワイヤレスデバイス216、218はピアツーピア通信214を行うことができ、かつワイヤレスデバイス206、212はピアツーピア通信214を行うことができる。ワイヤレスデバイス206、212は、基地局204とも通信することができる。
【００２５】
アクセスネットワーク200によって用いられる変調方式および多元接続方式は、導入されている特定の電気通信規格に応じて異なり得る。LTE適用例では、DL上ではOFDMが使用され、かつUL上ではSC-FDMAが使用されて、周波数分割複信(FDD)と時分割複信(TDD)の両方がサポートされる。当業者なら以下の詳細な説明から容易に諒解するように、本明細書で提示する様々な概念は、LTE適用例に好適である。しかし、これらの概念は、他の変調技法および多元接続技法を利用する他の電気通信規格に容易に拡張することができる。例として、これらの概念は、エボリューションデータオプティマイズド(EV-DO)またはウルトラモバイルブロードバンド(UMB)に拡張することができる。EV-DOおよびUMBは、CDMA2000規格ファミリの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を採用するUniversal Terrestrial Radio Access(UTRA)、TDMAを採用するGlobal System for Mobile Communications(GSM（登録商標）)、ならびにOFDMAを採用するEvolved UTRA(E-UTRA)、IEEE 802.11(Wi-Fi)、IEEE 802.16(WiMAX)、IEEE 802.20、およびFlash-OFDMに拡張され得る。UTRA、E-UTRA、UMTS、LTE、およびGSM（登録商標）は、3GPP団体による文書に記述されている。CDMA2000およびUMBは、3GPP2団体による文書に記述されている。実際の利用されるワイヤレス通信規格、および多元接続技術は、具体的な用途およびシステムに課される全体的な設計制約に依存する。
【００２６】
eNB 204は、MIMO技術をサポートする複数のアンテナを有し得る。MIMO技術の使用により、eNB 204は空間領域を活用して、空間多重化、ビームフォーミング、および送信ダイバーシティをサポートすることができる。空間多重化を使用して、同じ周波数で同時に様々なデータストリームを送信することができる。データストリームを単一のUE 206に送信してデータレートを増大させることができ、または、複数のUE 206に送信して全体的なシステム容量を増大させることができる。これは、各データストリームを空間的にプリコーディングし(すなわち、振幅および位相のスケーリングを適用し)、次いで、空間的にプリコーディングされた各ストリームをDL上で複数の送信アンテナを介して送信することによって、達成される。空間的にプリコーディングされたデータストリームは、異なる空間シグネチャとともにUE 206に到達し、これにより、UE 206の各々は、そのUE 206に向けられた1つまたは複数のデータストリームを回復することができる。UL上では、各UE 206は、空間的にプリコーディングされたデータストリームを送信し、これにより、eNB 204は、空間的にプリコーディングされた各データストリームのソースを識別することができる。
【００２７】
空間多重化は、一般に、チャネル条件が良いときに使用される。チャネル条件があまり良好でないときは、ビームフォーミングを使用して、送信エネルギーを1つまたは複数の方向に集中させることができる。これは、複数のアンテナを介して送信するためにデータを空間的にプリコーディングすることによって達成することができる。セルのエッジで良いカバレージを達成するために、単一ストリームのビームフォーミング送信を、送信ダイバーシティと組み合わせて使用することができる。
【００２８】
以下の詳細な説明では、アクセスネットワークの様々な態様について、DL上でOFDMをサポートするMIMOシステムを参照しながら説明する。OFDMは、OFDMシンボル内でいくつかのサブキャリアにわたってデータを変調するスペクトル拡散技法である。サブキャリアは、正確な周波数で間隔があけられる。離間は、受信機がサブキャリアからのデータを回復することを可能にする「直交性」をもたらす。時間領域では、ガード間隔(たとえば、サイクリックプレフィックス)を各OFDMシンボルに加えて、OFDMシンボル間干渉を抑制することができる。ULは、SC-FDMAをDFT拡散OFDM信号の形で使用して、高いピーク対平均電力比(PAPR)を補償することができる。
【００２９】
図3は、LTEにおけるDLフレーム構造の一例を示す図300である。フレーム(10ms)は、等しいサイズの10個のサブフレームに分割され得る。各サブフレームは、連続する2つのタイムスロットを含むことができる。リソースグリッドを使用して2つのタイムスロットを表すことができ、各タイムスロットはリソースブロックを含む。リソースグリッドは、複数のリソース要素に分割される。LTEでは、リソースブロックは、周波数領域における連続する12個のサブキャリアを含み、また、各OFDMシンボル中の通常のサイクリックプレフィックスの場合、時間領域における連続する7つのOFDMシンボル、すなわち84個のリソース要素を含む。拡張サイクリックプレフィックスの場合、リソースブロックは、時間領域における連続する6つのOFDMシンボルを含み、72個のリソース要素を有する。R 302、304として示す、リソース要素のうちのいくつかは、DL基準信号(DL-RS)を含む。DL-RSは、セル固有RS(CRS)(共通RSと呼ばれることもある)302およびUE固有RS(UE-RS)304を含む。UE-RS 304は、対応する物理DL共有チャネル(PDSCH)のマッピング先であるリソースブロック上のみで送信される。各リソース要素によって搬送されるビットの数は、変調方式に依存する。したがって、UEが受信するリソースブロックが多いほど、および変調方式が高いほど、UEのデータレートは高くなる。
【００３０】
図4は、LTEにおけるユーザプレーンおよび制御プレーンの無線プロトコルアーキテクチャの一例を示す図400である。UEおよびeNBの無線プロトコルアーキテクチャは、レイヤ1、レイヤ2、およびレイヤ3という3つのレイヤで示される。レイヤ1(L1レイヤ)は、最下位レイヤであり、様々な物理レイヤ信号処理機能を実施する。本明細書では、L1レイヤは物理レイヤ406と呼ばれる。レイヤ2(L2レイヤ)408は、物理レイヤ406の上にあり、物理レイヤ406を介したUEとeNBとの間のリンクを担う。
【００３１】
ユーザプレーンでは、L2レイヤ408は、媒体アクセス制御(MAC)サブレイヤ410、無線リンク制御(RLC)サブレイヤ412、およびパケットデータコンバージェンスプロトコル(PDCP)サブレイヤ414を含み、これらは、ネットワーク側のeNBにおいて終端する。図示されていないが、UEは、L2レイヤ408の上にいくつかの上位レイヤを有することができ、これらは、ネットワーク側のPDNゲートウェイ118において終端するネットワークレイヤ(たとえば、IPレイヤ)と、接続の他端(たとえば、遠端UE、サーバなど)において終端するアプリケーションレイヤとを含む。
【００３２】
PDCPサブレイヤ414は、異なる無線ベアラと論理チャネルとの間の多重化を行う。PDCPサブレイヤ414は、無線送信のオーバーヘッドを低減するための上位レイヤのデータパケットのヘッダ圧縮、データパケットを暗号化することによるセキュリティ、およびeNB間のUEのハンドオーバのサポートも提供する。RLCサブレイヤ412は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ410は、論理チャネルとトランスポートチャネルとの間の多重化を行う。MACサブレイヤ410はまた、1つのセルの中の様々な無線リソース(たとえばリソースブロック)の複数のUEへの割り当てを担う。MACサブレイヤ410はまた、HARQ動作も担う。
【００３３】
制御プレーンでは、UEおよびeNBの無線プロトコルアーキテクチャは、制御プレーンのヘッダ圧縮機能がないことを除いて、物理レイヤ406およびL2レイヤ408に関して実質的に同じである。制御プレーンはまた、レイヤ3(L3レイヤ)中に無線リソース制御(RRC)サブレイヤ416を含む。RRCサブレイヤ416は、無線リソース(すなわち、無線ベアラ)を取得すること、およびeNBとUEとの間のRRCシグナリングを使用して下位レイヤを構成することを担う。
【００３４】
図5は、ワイヤレスデバイス間のピアツーピア通信のための例示的な時間構造を示す図500である。ウルトラフレームは、512秒であり、64のメガフレームを含む。各メガフレームは、8秒であり、8のグランドフレームを含む。各グランドフレームは、1秒であり、15のスーパーフレームを含む。各スーパーフレームは、約66.67ミリ秒であり、32のフレームを含む。各フレームは、2.0833msである。
【００３５】
図6は、1つのグランドフレームにおけるスーパーフレームの各フレームにおけるチャネルを示す図600である。第1のスーパーフレーム(インデックス0)において、フレーム0は、予約チャネル(RCH)であり、フレーム1〜10は各々、種々のチャネル(MCCH)であり、フレーム11〜31は各々、トラフィックチャネル(TCCH)である。第2〜第7のスーパーフレーム(インデックス1:6)において、フレーム0はRCHであり、フレーム1〜31は各々TCCHである。第8のスーパーフレーム(インデックス7)において、フレーム0はRCHであり、フレーム1〜10は各々MCCHであり、フレーム11〜31は各々TCCHである。第9〜第15のスーパーフレーム(インデックス8:14)において、フレーム0はRCHであり、フレーム1〜31は各々TCCHである。スーパーフレームインデックス0のMCCHは、2次タイミング同期チャネル、ピア発見チャネル、ピアページチャネル、および予約スロットを含む。スーパーフレームインデックス7のMCCHは、ピアページチャネルおよび予約スロットを含む。TCCHは、接続スケジューリング、パイロット、チャネル品質インジケータ(CQI)フィードバック、データセグメント、および肯定応答(ACK)を含む。
【００３６】
図7は、MCCHの動作タイムライン、および、ピア発見チャネルの例示的な構造を示す図700である。図6に関連して説明したように、スーパーフレームインデックス0のMCCHは、2次タイミング同期チャネル、ピア発見チャネル、ピアページングチャネル、および予約スロットを含む。ピア発見チャネルは、サブチャネルに分割されてよい。たとえば、ピア発見チャネルは、遠距離ピア発見チャネル、中距離ピア発見チャネル、短距離ピア発見チャネル、および他のチャネルに分割されてよい。サブチャネルの各々は、ピア発見情報を通信するための複数のブロック/リソースを含むことができる。各ブロックは、同じサブキャリアに複数の直交周波数分割多重(OFDM)シンボル(たとえば、72)を含むことができる。図7は、グランドフレーム0〜7のMCCHスーパーフレームインデックス0を含む、1つのメガフレーム内のブロックを含むサブチャネル(たとえば、短距離ピア発見チャネル)の一例を提供する。ブロックの異なるセットは、異なるピア発見リソース識別子(PDRID)に対応する。たとえば、1つのPDRIDは、メガフレーム内の1つのグランドフレームのMCCHスーパーフレームインデックス0内のブロックのうちの1つに対応してよい。
【００３７】
電源投入時に、ワイヤレスデバイスは、ある期間(たとえば、2メガフレーム)中、ピア発見チャネルをリッスンし、PDRIDの各々に対して決定されたエネルギーに基づいて、PDRIDを選択する。たとえば、ワイヤレスデバイスは、ウルトラフレームの第1のメガフレーム内のブロック702(i=2およびj=15)に対応するPDRIDを選択することができる。特定のPDRIDは、ホッピングにより、ウルトラフレームの他のメガフレーム内の他のブロックにマッピングすることができる。選択されたPDRIDに関連付けられたブロックで、ワイヤレスデバイスは、そのピア発見信号を送信する。選択されたPDRIDに関連付けられていないブロックでは、ワイヤレスデバイスは、他のワイヤレスデバイスによって送信されたピア発見信号をリッスンする。
【００３８】
ワイヤレスデバイスは、ワイヤレスデバイスがPDRIDの衝突を検出した場合、PDRIDを再選択することもできる。すなわち、ワイヤレスデバイスは、そのPDRIDに対応するピア発見リソースに対するエネルギーを検出するために、その利用可能なピア発見リソース上で、送信するのではなく、リッスンすることができる。ワイヤレスデバイスは、他のPDRIDに対応する他のピア発見リソースに対するエネルギーを検出することもできる。ワイヤレスデバイスは、そのPDRIDに対応するピア発見リソースに対する決定されたエネルギー、および、他のPDRIDに対応する他のピア発見リソースに対する検出されたエネルギーに基づいて、PDRIDを再選択することができる。
【００３９】
図8は、MCCHの動作タイムライン、および接続識別子(CID)ブロードキャストの構造を示す図800である。図6に関して説明したように、スーパーフレームインデックス0のMCCHは、2次タイミング同期チャネル、ピア発見チャネル、ピアページングチャネル、および予約スロットを含む。スーパーフレームインデックス0のMCCHのピアページングチャネルは、クイックページングチャネル、CIDブロードキャストチャネル、およびページ要求チャネルを含む。スーパーフレームインデックス7のMCCHは、ピアページングチャネルおよび予約スロットを含む。スーパーフレームインデックス7のMCCHのピアページングチャネルは、ページ応答チャネル、およびページ確認チャネルを含む。CIDブロードキャストチャネルは、新しい接続に対するCIDの割振りのための分散プロトコルを提供し、CID衝突検出のための機構を提供し、通信ピアとのそのリンク結合がまだ存在するというワイヤレスデバイスの証拠を提供する。
【００４０】
CIDブロードキャストの構造は、4つのブロックから成り、その各々は、複数のリソース要素、すなわち、周波数領域における複数のサブキャリア、および時間領域におけるOFDMシンボルを含む。4つのブロックの各々は、複数のサブキャリア(たとえば、28のサブキャリア)にわたり、16のOFDMシンボルを含む。1つのリソース要素(またはトーン)は、1つのサブキャリアおよび1つのOFDMシンボルに対応する。
【００４１】
各CIDについて、隣接するOFDMシンボルにおける1対のリソース要素は、4つのブロックの各々においてCIDブロードキャストのために割り振られる。1対の隣接するリソース要素において、第1のリソース要素は、TCCHで送信するために使用される電力に比例するエネルギーを運び、第2のリソース要素は、TCCHで受信される電力に反比例するエネルギーを運ぶ。所与のCIDについて、リソース要素の各対は、各グランドフレームを変えるブロック内の固定のOFDMシンボル位置および変化するサブキャリアを有する。任意の所与のリンクにおいて、リンクを開始したワイヤレスデバイスは、CIDブロードキャストのためにブロック0およびブロック2からブロックをランダムに選択し、リンクの他のワイヤレスデバイスは、CIDブロードキャストのためにブロック1およびブロック3からブロックをランダムに選択する。したがって、特定のCIDでは、割り振られたリソースの半分のみが、そのCIDとのリンクによって利用される。ブロックのランダムな選択のために、第2のワイヤレスデバイスとリンクする第1のワイヤレスデバイスは、異なるリンクにおける第3のワイヤレスデバイスまたは第4のワイヤレスデバイスが第1のワイヤレスデバイスまたは第2のワイヤレスデバイスによって選択されるブロックとは異なるブロックを使用してCIDブロードキャストを送信するとき、CID衝突を検出することができる。
【００４２】
図9は、アクセスネットワーク中でUE 950と通信しているeNB 910のブロック図である。DLでは、コアネットワークからの上位層パケットが、コントローラ/プロセッサ975に与えられる。コントローラ/プロセッサ975は、L2層の機能を実装する。DLでは、コントローラ/プロセッサ975は、ヘッダ圧縮、暗号化、パケットのセグメント化および並べ替え、論理チャネルとトランスポートチャネルとの間の多重化、ならびに、様々な優先度メトリックに基づくUE 950への無線リソース割振りを行う。コントローラ/プロセッサ975はまた、HARQ動作、紛失したパケットの再送、およびUE 950へのシグナリングを担う。
【００４３】
送信(TX)プロセッサ916は、L1層(すなわち、物理層)のための様々な信号処理機能を実装する。これらの信号処理機能は、UE 950における順方向誤り訂正(FEC)を容易にするための符号化およびインタリービングと、様々な変調方式(たとえば、2値位相シフトキーイング(BPSK)、直交位相シフトキーイング(QPSK)、M位相シフトキーイング(M-PSK)、M直交振幅変調(M-QAM))に基づく信号コンスタレーションへのマッピングとを含む。次いで、符号化され変調されたシンボルは、並列ストリームに分割される。次いで、各ストリームは、OFDMサブキャリアにマッピングされ、時間および/または周波数領域で基準信号(たとえば、パイロット)と多重化され、次いで逆高速フーリエ変換(IFFT)を使用して一緒に結合されて、時間領域OFDMシンボルストリームを搬送する物理チャネルが生成される。OFDMストリームは、空間的にプリコーディングされて、複数の空間ストリームが生成される。チャネル推定器974からのチャネル推定値を、符号化変調方式の決定ならびに空間処理に使用することができる。チャネル推定値は、UE 950によって送信された基準信号および/またはチャネル条件フィードバックから導出することができる。次いで、各空間ストリームは、別個の送信機918TXを介して異なるアンテナ920に与えられる。各送信機918TXは、送信用のそれぞれの空間ストリームによってRF搬送波を変調する。
【００４４】
UE 950において、各受信機954RXは、それぞれのアンテナ952を介して信号を受信する。各受信機954RXは、RFキャリア上に変調された情報を回復し、情報を受信(RX)プロセッサ956に与える。RXプロセッサ956は、L1レイヤの様々な信号処理機能を実装する。RXプロセッサ956は、情報に対して空間処理を実行して、UE 950に向けられたあらゆる空間ストリームを回復する。複数の空間ストリームがUE 950に向けられている場合、これらをRXプロセッサ956によって単一のOFDMシンボルストリームに結合することができる。次いで、RXプロセッサ956は、高速フーリエ変換(FFT)を使用して、OFDMシンボルストリームを時間領域から周波数領域に変換する。周波数領域信号は、OFDM信号の各サブキャリアについて別個のOFDMシンボルストリームを含む。各サブキャリア上のシンボル、および基準信号は、eNB 910によって送信された最も可能性の高い信号コンスタレーションポイントを決定することによって、回復され復調される。これらの軟判定は、チャネル推定器958によって計算されたチャネル推定値に基づくことができる。次いで、軟判定は復号されデインタリーブされて、物理チャネル上でeNB 910によって元々送信されたデータおよび制御信号が回復される。次いで、データおよび制御信号は、コントローラ/プロセッサ959に与えられる。
【００４５】
コントローラ/プロセッサ959は、L2レイヤを実装する。コントローラ/プロセッサは、プログラムコードおよびデータを記憶するメモリ960に関連付けられ得る。メモリ960は、コンピュータ可読媒体と呼ぶことができる。ULでは、コントローラ/プロセッサ959は、トランスポートチャネルと論理チャネルとの間の逆多重化、パケット再アセンブリ、暗号化解除、ヘッダ圧縮解除、制御信号処理を行って、コアネットワークからの上位レイヤパケットを回復する。次いで、上位レイヤパケットはデータシンク962に与えられ、データシンク962は、L2レイヤの上のすべてのプロトコルレイヤを表す。様々な制御信号も、L3処理のためにデータシンク962に与えられ得る。コントローラ/プロセッサ959はまた、HARQ動作をサポートするために、肯定応答(ACK)および/または否定応答(NACK)プロトコルを使用した誤り検出を担う。
【００４６】
ULでは、データソース967を使用して、上位レイヤパケットがコントローラ/プロセッサ959に与えられる。データソース967は、L2レイヤの上のすべてのプロトコルレイヤを表す。eNB 910によるDL送信に関して説明した機能と同様に、コントローラ/プロセッサ959は、ヘッダ圧縮、暗号化、パケットのセグメント化および並べ替え、ならびに、eNB 910による無線リソース割振りに基づく論理チャネルとトランスポートチャネルとの間の多重化を行うことによって、ユーザプレーンおよび制御プレーンのL2レイヤを実装する。コントローラ/プロセッサ959はまた、HARQ動作、紛失したパケットの再送、およびeNB 910へのシグナリングを担う。
【００４７】
eNB 910によって送信された基準信号またはフィードバックからチャネル推定器958によって導出されたチャネル推定値を、TXプロセッサ968によって使用して、適切な符号化変調方式を選択し、空間処理を容易にすることができる。TXプロセッサ968によって生成された空間ストリームは、別個の送信機954TXを介して、異なるアンテナ952に与えられる。各送信機954TXは、送信用のそれぞれの空間ストリームによってRF搬送波を変調する。
【００４８】
UL送信は、eNB 910において、UE 950における受信機機能に関して説明した方法と同様の方法で処理される。各受信機918RXは、それぞれのアンテナ920を介して信号を受信する。各受信機918RXは、RF搬送波上に変調された情報を回復し、この情報をRXプロセッサ970に与える。RXプロセッサ970は、L1レイヤを実装することができる。
【００４９】
コントローラ/プロセッサ975は、L2レイヤを実装する。コントローラ/プロセッサ975は、プログラムコードおよびデータを記憶するメモリ976に関連付けられ得る。メモリ976は、コンピュータ可読媒体と呼ぶことができる。ULでは、コントローラ/プロセッサ975は、トランスポートチャネルと論理チャネルとの間の多重化解除、パケット再アセンブリ、暗号化解除、ヘッダ圧縮解除、制御信号処理を行って、UE 950からの上位レイヤパケットを回復する。コントローラ/プロセッサ975からの上位レイヤパケットは、コアネットワークに与えられ得る。コントローラ/プロセッサ975はまた、HARQ動作をサポートするために、ACKおよび/またはNACKプロトコルを使用した誤り検出を担う。
【００５０】
図10は、セルラー通信およびピアツーピア通信をサポートするように動作可能なワイヤレス通信環境を示す図1000である。
【００５１】
ワイヤレス通信ネットワーク1000は、複数のUE(1002、1006)と複数のeNB(1004、1008)とを含み得る。UE(1002、1006)は異なるeNB(1004、1008)と関連付けられてよく、eNB(1004、1008)は異なるセル(1005、1007)に関連付けられてよい。図示の態様では、UE(1) 1002は、第1のセル1005内でeNB(1) 1004に関連付けられ、かつUE(2) 1006は、第2のセル1007内でeNB(2) 1008に関連付けられる。したがって、システム1000は、UE(1) 1002とeNB(1) 1004との間のシグナリング1012を可能にし、かつUE(2) 1006とeNB(2) 1008との間のシグナリング1014を可能にする。さらに、UE(1002、1006)は、デバイス間(D2D)通信のために割り振られたリソース1016を使用して互いに直接通信するように動作可能である。隣接セル(1005、1007)内のデバイスは、D2D通信のために異なるリソースのセットを割り振られ得る。可能にされるべきD2D通信に対して、デバイス、たとえばUE(1) 1002は、リソースのセットが別のデバイス、たとえばUE(2) 1006との通信に利用可能であると判断できる。
【００５２】
動作時、UE(1) 1002は、eNB(1) 1004によってD2D通信のために割り振られたリソースのセットを示す制御信号1012を受信する。eNB(1) 1004は、1つまたは複数のネットワークファクタに基づいてリソースのセットを決定できる。一態様では、1つまたは複数のネットワークファクタは、限定はしないが、セル内のD2Dデバイスの数、セル内のD2Dサブフレーム上で検出されたエネルギーレベル、セル内のD2D通信において搬送されるトラフィックのタイプ、隣接セル内のD2Dデバイスの数、隣接セル内のD2Dサブフレーム上で検出されたエネルギーレベル、隣接セル内のD2D通信において搬送されるトラフィックのタイプ、隣接セル内で割り振られるD2Dリソース、セル内でUEによって報告される衝突の数、隣接セル内でUEによって報告される衝突の数、セルに対するD2DトラフィックとWANトラフィックとの間の相対的重要性の値、隣接セルに対するD2DトラフィックとWANトラフィックとの間の相対的重要性の値、WAN上の混雑状態などを含み得る。一態様では、eNB(1) 1004は、eNB(2) 1008とのX2インターフェース1010上のeNB(2) 1008によるD2D通信のために割り振られた、1つまたは複数のネットワークファクタおよび/またはリソースのセットのうちの少なくとも一部分を受信できる。一態様では、リソースは、表1018を使用して、次のように、D2Dのためのリソースのセットの割振りが1〜Nで番号付けされ、リソースが1〜Mで番号付けされて(たとえば、すべてのリソースの組合せが可能であるとは限らない場合、N < 2^M)、効率的に伝えられ得る。1〜Nの各値に対して、eNBは、リソース1〜Mのうちのどのサブセット(たとえば、サブフレーム1および2、サブフレーム1など)が使用され得るかをUEに通知できる。したがって、N個の表1018が存在し得、サイズの各々はM以下(<=M)である。
【００５３】
さらに、UE(1)は、UE(2) 1006からeNB(2) 1008によってD2D通信のために割り振られたリソースのセットを示す信号1016を受信できる。UE(1) 1002は、D2D通信1016のために使用され得るリソースのサブセットを決定し、リソースのサブセットをeNB(1) 1004に1012でシグナリングすることができる。
【００５４】
その後、UE(1) 1002は、共有チャネルを使用してD2D通信のために取り決められたリソースのスケジューリングを示す識別子であるシグナリング1012をeNB(1) 1004から受信し、UE(1) 1002およびUE(2) 1006は、取り決められたリソースを使用してD2D通信を行うことができる。
【００５５】
図11は、UEが一対のデバイス間のD2D通信に利用可能なリソースを決定することを可能にするように動作できるワイヤレス通信システム1100の例示的な呼フロー図を示す。
【００５６】
行為1110aおよび1110bにおいて、eNB(1102、1108)は、D2D通信に割り振るためのリソースの数を決定する。一態様では、この決定は、セル内のD2Dデバイスの数、セル内のD2Dサブフレーム上で検出されたエネルギーレベル、セル内のD2D通信において搬送されるトラフィックのタイプ、隣接セル内のD2Dデバイスの数、隣接セル内のD2Dサブフレーム上で検出されたエネルギーレベル、隣接セル内のD2D通信において搬送されるトラフィックのタイプ、隣接セル内で割り振られるD2Dリソース、セル内でUEによって報告される衝突の数、隣接セル内でUEによって報告される衝突の数、セルに対するD2DトラフィックとWANトラフィックとの間の相対的重要性の値、隣接セルに対するD2DトラフィックとWANトラフィックとの間の相対的重要性の値、WAN上の混雑状態などのうちの任意の組合せの分析に基づくことができる。
【００５７】
行為1112aおよび1112bにおいて、eNB(1102、1108)は、D2D通信のために割り振られたリソースを示す情報を含む制御シグナリングを送信する。一態様では、制御シグナリングは、無線リソース制御(RRC)信号を使用して送信され得る。別の態様では、情報は、システム情報ブロック(SIB)を使用して示される。一態様では、各eNB(1102、1108)は、UEが他のUEと通信するために競合することがあるセルのリソースについて、セル内のUEに対して(RRCシグナリングを介して)ブロードキャストすることができる。たとえば、リソースは、次のように、D2Dのためのリソースのセットの割振りが1〜Nで番号付けされ、リソースが1〜Mで番号付けされて(たとえば、すべてのリソースの組合せが可能であるとは限らない場合、N < 2^M)、効率的に伝えられ得る。1〜Nの各値に対して、eNBは、リソース1〜MのうちのどのサブセットをUEが使用できるかをUEに通知できる。したがって、N個の表が存在し得、サイズの各々はM以下(<=M)である。加えてまたは代替として、UEがそれのローカルセルIDをブロードキャストする場合、UE(1) 1104は、UE(2) 1106のセルIDに基づいて、どのリソースをUE(1) 1104がUE(2) 1106へのデータ送信のために競合することがあるかを判断できる。したがって、サービングeNBは、D2D通信のために使用され得る1〜MのリソースのうちのサブセットにローカルセルIDをマッピングする表を、(RRCメッセージ、繰り越された(carried over)SIBを介して)ブロードキャストすることができる。
【００５８】
行為1114において、UE(1104、1106)は、1つまたは複数のD2Dリソース決定計画に基づいてD2D通信のためのリソースのセットを決定する。1つのD2Dリソース決定計画は、ビットパターン情報を交換するステップを含む。そのような計画は、隣接するD2Dを可能にされたUEのデバイスが、D2D通信のために異なる割振りを有する異なるセルに属し得るときに有利であることがある。ここでは、1つのデバイスが他のデバイスをページングするときに2つのデバイス間で、nビットのパターンが交換され得る。この計画は、隣接するD2Dを可能にされたUEのデバイスが、D2D通信のために異なる割振りを有する異なるセルに属し得るときに有利であることがある。これは、都市の設定におけるように、小さいセル(たとえば、ピコ、フェムト、マイクロ)が配置されるときに起こり得る。第2のD2Dリソース決定計画は、発見空間を区分に分割するステップを含む。そのような計画において、各区分は、D2D通信のためのリソース割振りの異なるパターンに対応できる。区分からリソースパターンへのマッピングは、行為1112a、1112bにおけるRRCシグナリングを介してeNBによってUEにシグナリングされ得る。このマッピングは、X2シグナリングを介してeNB(1102、1108)間で協調され得る。D2D通信のために割り振られるリソースは、一般に隣接セルにわたって急に変化することはないので、ピア発見チャネルが分割され得るそのような区分の数は、比較的小さい。第3のD2Dリソース決定計画は、ピア発見メッセージの間にデバイスによってブロードキャストされ得る(たとえば、行為1112a、1112b)「ローカル」セル識別子(たとえば、3ビットのシーケンス)を定義するステップを含む。サービングeNBは、セルIDから、デバイスがD2D通信のために使用できるリソースへのマッピングを、(RRCメッセージの中で)ブロードキャストする。
【００５９】
行為1116において、UE(1104、1106)は、共有チャネルを使用してD2D通信のための、取り決められたリソースのスケジューリングを示す識別子を、制御チャネルを使用して受信できる。一態様では、制御チャネルは物理ダウンリンク制御チャネル(PDCH)であり、識別子は無線ネットワーク一時識別子(RNTI)であり、共有チャネルは物理ダウンリンク共有チャネル(PDSCH)である。一態様では、D2D通信のためのスケジューリングまたはリソースは、2つのデバイス間のD2D通信に利用可能な共通リソースのセット、eNB(1) 1102およびeNB(2) 1108の隣接セル内のD2Dリソース割振りのセット、異なるリソースに対する干渉レベルなどのうちの任意の1つに基づくことがある。
【００６０】
図12は、ワイヤレス通信の方法のフローチャート1200である。この方法は、ワイヤレスデバイスによって実行されてよい。
【００６１】
ブロック1202で、ワイヤレスデバイスは、eNBによってD2D通信のために割り振られたリソースの数を示す制御信号を受信できる。一態様では、制御信号は、無線リソース制御(RRC)信号であってよい。一態様では、リソースのセットは、システム情報ブロック(SIB)内に割り振られ得る。
【００６２】
ブロック1204で、ワイヤレスデバイスは、1つまたは複数のD2Dリソース決定計画に基づいて、第2のUEとのD2D通信に使用するためのリソースのサブセットを決定できる。一態様では、第2のUEによる使用のために第2のeNBによってD2D通信のために割り振られたリソースのセットの少なくとも一部分は、第1のeNBによってD2D通信のために割り振られたリソースのセットと異なることがある。一態様では、D2Dリソース決定計画は、第1のUEと第2のUEとの間でビットパターン情報を交換するステップを含み得る。そのような態様では、第1のUEは、ビットパターン情報を交換するために第2のUEをページングできる。別の態様では、D2Dリソース決定計画は、異なる区分に対する異なるリソースパターン割振りのマッピングとともに、発見空間を区分に分割する情報を受信するステップを含み得る。そのような態様では、ワイヤレスデバイスは、第1のeNBによってD2D通信のために割り振られたリソースのセットを示す受信された制御信号に基づいて、発見空間の区分のうちの1つの中のピア発見信号をブロードキャストできる。別の態様では、D2Dリソース決定計画は、D2D通信のために割り振られたリソースの数を有するセル識別子と、D2D通信に利用可能なリソースのセットに対するセル識別子のマッピングを受信するステップとを含み得る。そのような態様では、ワイヤレスデバイスは、受信されたセル識別子に基づいてD2D通信をスケジュールできる。
【００６３】
ブロック1206で、ワイヤレスデバイスは、決定されたリソースのサブセットを第1のeNBにシグナリングできる。一態様では、リソースのサブセットは、隣接セル内のD2Dリソース割振りのセット、1つまたは複数の特定されたリソースに対する干渉レベルなどに基づいて決定される。
【００６４】
ブロック1208で、ワイヤレスデバイスは、共有チャネル上でD2D通信中に使用するためのリソースのサブセットを示す識別子を、制御チャネル上で受信できる。言い換えれば、リソース割振りは制御チャネルを介して受信され得、コンテンツは共有チャネルを使用してデバイス間で通信され得る。
【００６５】
図13は、例示的な装置102における異なるモジュール/手段/構成要素間のデータフローを示す概念データフロー図1300である。装置102は、第1のeNB 1004によってD2D通信のために割り振られたリソースのセット1304を示す制御信号を受信できる受信(reception)モジュール1302を含む。さらに、受信モジュール1302は、第2のeNB(たとえば、1008)でサポートされる第2のUE 1006による使用のために、D2D通信のために割り振られたリソースのセット1306を示すメッセージを受信できる。一態様では、第2のUE 1006による使用のために第2のeNB 1008によってD2D通信のために割り振られたリソースのセット1306の少なくとも一部分は、第1のUE 1002による使用のためにD2D通信のために割り振られたリソースのセット1304と異なる。一態様では、第1のUE 1002による使用のためにD2D通信のために割り振られたリソースのセット1304は、RRCシグナリングを使用して受信され得る。
【００６６】
装置102は、1つまたは複数のD2Dリソース決定計画に基づいて、第2のUEとのD2D通信に使用するためのリソースのサブセット1310を決定するように動作可能なD2D通信サブセット決定モジュール1308をさらに含む。一態様では、D2D通信サブセット決定モジュール1308は、第1のUEと第2のUEとの間でビットパターン情報を交換するように動作可能である。そのような態様では、第1のUEは、ビットパターン情報を交換するために第2のUEをページングできる。別の態様では、D2D通信サブセット決定モジュール1308は、異なる区分に対する異なるリソースパターン割振りのマッピングとともに、発見空間を区分に分割する情報を受信するように動作可能である。そのような態様では、ワイヤレスデバイス1002は、第1のeNBによってD2D通信のために割り振られたリソースのセットを示す受信された制御信号に基づいて、発見空間の区分のうちの1つの中のピア発見信号をブロードキャストできる。別の態様では、D2D通信サブセット決定モジュール1308は、D2D通信のために割り振られたリソースの数を有するセル識別子、およびD2D通信に利用可能なリソースのセットに対するセル識別子のマッピングを受信するように動作可能である。そのような態様では、ワイヤレスデバイス1002は、受信されたセル識別子に基づいてD2D通信をスケジュールできる。
【００６７】
装置は、決定されたリソースのサブセット1310を第1のeNB 1004にシグナリングするように動作可能な送信モジュール1312をさらに含む。その後、受信モジュール1302は、D2D通信中に使用するためのリソースのサブセットを示す識別子1314を受信するように動作可能である。さらに、装置1302は、第2のUE 1006との共有チャネルを使用してD2D通信1316を実行するために特定されたリソースを使用できる。
【００６８】
装置は、上述したフローチャート図11および図13内のアルゴリズムのステップの各々を実行する追加のモジュールを含み得る。したがって、上述したフローチャート図11および図13内の各ステップは、モジュールによって実行されてよく、装置は、これらのモジュールの1つまたは複数を含むことができる。モジュールは、指定されたプロセス/アルゴリズムを実行するように特別に構成された1つもしくは複数のハードウェア構成要素であってよく、指定されたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００６９】
図14は、処理システム1414を採用する装置102'のためのハードウェア実装の一例を示す図である。処理システム1414は、バス1424によって概略的に表されるバスアーキテクチャで実装され得る。バス1424は、処理システム1414の具体的な用途および全体的な設計制約に応じて、任意の数の相互接続するバスおよびブリッジを含み得る。バス1424は、プロセッサ1404、モジュール1302、1308、1312、およびコンピュータ可読媒体1406で表される、1つまたは複数のプロセッサおよび/またはハードウェアモジュールを含む様々な回路を共にリンクする。バス1424は、タイミングソース、周辺機器、電圧調整器、および電力管理回路など、様々な他の回路をリンクすることもでき、これらの回路は当技術分野で知られているのでこれ以上は説明しない。
【００７０】
処理システム1414は、トランシーバ1410に結合され得る。トランシーバ1410は、1つまたは複数のアンテナ1420に結合される。トランシーバ1410は、送信媒体上の様々な他の装置と通信するための手段を提供する。処理システム1414は、コンピュータ可読媒体1406に結合されたプロセッサ1404を含む。プロセッサ1404は、コンピュータ可読媒体1406上に記憶されたソフトウェアの実行を含む全般的な処理を受け持つ。ソフトウェアは、プロセッサ1404によって実行されると、任意の特定の装置に対して上記で説明した様々な機能を処理システム1414に実行させる。コンピュータ可読媒体1406は、ソフトウェアを実行するときにプロセッサ1404によって操作されるデータを記憶するために使用されてもよい。処理システムは、モジュール1302、1308、および1312のうちの少なくとも1つをさらに含む。モジュールは、コンピュータ可読媒体1406に常駐する/記憶される、プロセッサ1404で動作しているソフトウェアモジュール、プロセッサ1404に結合された1つもしくは複数のハードウェアモジュール、またはそれらの何らかの組合せとすることができる。
【００７１】
一構成では、ワイヤレス通信のための装置102/102'は、第1のeNBによってD2D通信のために割り振られたリソースのセットを示す制御信号を第1のUEによって受信するための手段と、1つまたは複数のD2Dリソース決定計画に基づいて第2のUEとのD2D通信に使用するためのリソースのサブセットを決定するための手段と、決定されたリソースのサブセットを第1のeNBにシグナリングするための手段と、共有チャネル上のD2D通信中に使用するためのリソースのサブセットを示す識別子を制御チャネル上で受信するための手段とを含む。一態様では、第2のUEによる使用のために第2のeNBによってD2D通信のために割り振られたリソースのセットの少なくとも一部分は、第1のeNBによってD2D通信のために割り振られたリソースのセットと異なる。ワイヤレス通信のための装置102/102'は、第1のUEがD2D通信計画の一部として第2のUEをページングできる場合、第1のUEと第2のUEとの間でビットパターン情報を交換するための手段をさらに含み得る。ワイヤレス通信のための装置102/102'は、発見空間を区分に分割する情報を受信するための手段と、D2D通信計画の一部として異なる区分に対する、D2D通信のためのリソース割振りの異なるパターンのマッピングを受信するための手段とをさらに含み得る。ワイヤレス通信のための装置102/102'は、D2D通信のために割り振られたリソースの数を有するセル識別子を受信するための手段と、D2D通信計画の一部としてD2D通信に利用可能なリソースのセットに対する、セル識別子のマッピングを受信するための手段とをさらに含み得る。そのような態様では、ワイヤレス通信のための装置102/102'は、受信されたセル識別子に基づいてD2D通信をスケーリングするための手段をさらに含み得る。
【００７２】
上記の手段は、装置102の上記のモジュールおよび/または上記の手段によって記述される機能を実行するように構成された装置102'の処理システム1414のうちの1つまたは複数であってよい。
【００７３】
図15は、ワイヤレス通信の方法のフローチャート1500である。方法は、発展型ノードB(eNB)によって実行され得る。
【００７４】
ブロック1502で、eNBは、1つまたは複数のネットワークファクタに基づいてD2D通信に割り振るためのリソースのセットを決定できる。一態様では、第2のeNBによってD2D通信のために割り振られたリソースのセットの少なくとも一部分は、第1のeNBによってD2D通信のために割り振られたリソースのセットと異なる。一態様では、1つまたは複数のネットワークファクタは、限定はしないが、セル内のD2Dデバイスの数、セル内のD2Dサブフレーム上で検出されたエネルギーレベル、セル内のD2D通信において搬送されるトラフィックのタイプ、隣接セル内のD2Dデバイスの数、隣接セル内のD2Dサブフレーム上で検出されたエネルギーレベル、隣接セル内のD2D通信において搬送されるトラフィックのタイプ、隣接セル内で割り振られるD2Dリソース、セル内でUEによって報告される衝突の数、隣接セル内でUEによって報告される衝突の数、セルに対するD2DトラフィックとWANトラフィックとの間の相対的重要性の値、隣接セルに対するD2DトラフィックとWANトラフィックとの間の相対的重要性の値、WAN上の混雑状態などを含み得る。一態様では、D2D通信に対して使用されるべき1つまたは複数のリソースのサブセットに対する優先順位が、第2のeNBによってD2D通信のために割り振られたリソースのセットに対して決定され得る。
【００７５】
ブロック1504で、eNBは、D2D通信のために割り振られたリソースのセットを示す制御信号を送信できる。一態様では、第2のeNBによってD2D通信のために割り振られた1つまたは複数のリソースのサブセットに対する優先順位が、送信の中に含まれ得る。別の態様では、優先順位に対するローカルセルIDのマッピングを含む表が、送信の中に含まれ得る。
【００７６】
随意の一態様では、ブロック1506で、eNBは、D2D通信のために割り振られたリソースのセットからUEによって選択されたリソースのサブセットを示す信号を受信できる。
【００７７】
随意の一態様では、ブロック1508で、eNBは、D2D通信中に使用するためのリソースのサブセットを示す識別子を、制御チャネル上で送信できる。
【００７８】
図16は、例示的な装置104における異なるモジュール/手段/構成要素間のデータフローを示す概念データフロー図1600である。装置104は、1つまたは複数のネットワークファクタに基づいてD2D通信のために割り振るリソースのセット1604を決定するように動作可能なD2D通信のリソースのセット決定モジュール1602を含む。一態様では、第2のeNBによってD2D通信のために割り振られたリソースのセット1606の少なくとも一部分は、第1のeNBによってD2D通信のために割り振られたリソースのセット1604と異なる。一態様では、1つまたは複数のネットワークファクタは、限定はしないが、セル内のD2Dデバイスの数、セル内のD2Dサブフレーム上で検出されたエネルギーレベル、セル内のD2D通信において搬送されるトラフィックのタイプ、隣接セル内のD2Dデバイスの数、隣接セル内のD2Dサブフレーム上で検出されたエネルギーレベル、隣接セル内のD2D通信において搬送されるトラフィックのタイプ、隣接セル内で割り振られるD2Dリソース、セル内でUEによって報告される衝突の数、隣接セル内でUEによって報告される衝突の数、セルに対するD2DトラフィックとWANトラフィックとの間の相対的重要性の値、隣接セルに対するD2DトラフィックとWANトラフィックとの間の相対的重要性の値、WAN上の混雑状態などを含み得る。一態様では、装置104は、第2のeNBとのX2インターフェース上で第2のeNBによってD2D通信のために割り振られた、1つまたは複数のネットワークファクタおよびリソースのセットのうちの少なくとも一部分を受信できる。
【００７９】
装置は、D2D通信のためにUE 1002に割り振られたリソースのセット1604を示す制御信号を送信するように動作可能な送信モジュール1608をさらに含む。一態様では、第2のeNB 1008によってD2D通信のために割り振られた1つまたは複数のリソースのサブセット1604に対する優先順位が、送信の中に含まれ得る。別の態様では、優先順位に対するローカルセルIDのマッピングを含む表が、送信の中に含まれ得る。
【００８０】
この装置は、受信モジュール1610をさらに含み得る。随意の一態様では、受信モジュール1610は、D2D通信のために割り振られたリソースのセット1604からUE 1002によって選択されたリソースのサブセット1610を示す信号を受信できる。さらに、随意の態様では、D2D通信のリソースのセット決定モジュール1602は、受信されたリソースのサブセット1612を分析して、D2D通信のためにUE 1002によって使用するためのリソースのサブセット1614を割り振ることができる。その上、随意の一態様では、送信モジュール1608は、割り振られたリソースのサブセット1614をUE 1002に送信できる。
【００８１】
装置は、上述したフローチャート図11および図15内のアルゴリズムのステップの各々を実行する追加のモジュールを含み得る。したがって、上述したフローチャート図11および図15内の各ステップは、モジュールによって実行することができ、装置は、それらのモジュールのうちの1つまたは複数を含み得る。モジュールは、指定されたプロセス/アルゴリズムを実行するように特別に構成された1つもしくは複数のハードウェア構成要素であってよく、指定されたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００８２】
図17は、処理システム1714を採用する装置104'のためのハードウェア実装の一例を示す図である。処理システム1714は、バス1724によって概略的に表されるバスアーキテクチャで実装され得る。バス1724は、処理システム1714の具体的な用途および全体的な設計制約に応じて、任意の数の相互接続するバスおよびブリッジを含み得る。バス1724は、プロセッサ1704、モジュール1602、1608、1610、およびコンピュータ可読媒体1706で表される、1つまたは複数のプロセッサおよび/またはハードウェアモジュールを含む様々な回路を共にリンクする。バス1724は、タイミングソース、周辺機器、電圧調整器、および電力管理回路など、様々な他の回路をリンクすることもでき、これらの回路は当技術分野で知られているのでこれ以上は説明しない。
【００８３】
処理システム1714は、トランシーバ1710に結合され得る。トランシーバ1710は、1つまたは複数のアンテナ1720に結合される。トランシーバ1710は、送信媒体上の様々な他の装置と通信するための手段を提供する。処理システム1714は、コンピュータ可読媒体1706に結合されたプロセッサ1704を含む。プロセッサ1704は、コンピュータ可読媒体1706上に記憶されたソフトウェアの実行を含む全般的な処理を受け持つ。ソフトウェアは、プロセッサ1704によって実行されると、任意の特定の装置に対して上記で説明した様々な機能を処理システム1714に実行させる。コンピュータ可読媒体1706は、ソフトウェアを実行するときにプロセッサ1704によって操作されるデータを記憶するために使用されてもよい。処理システムは、モジュール1602、1608、および1610のうちの少なくとも1つをさらに含む。モジュールは、コンピュータ可読媒体1706に常駐する/記憶される、プロセッサ1704で動作しているソフトウェアモジュール、プロセッサ1704に結合された1つもしくは複数のハードウェアモジュール、またはそれらの何らかの組合せとすることができる。
【００８４】
一構成では、ワイヤレス通信に対する装置104/104'は、1つまたは複数のネットワークファクタに基づいてD2D通信のために割り振るリソースのセットを決定するための手段と、D2D通信のために割り振られたリソースのセットを示す制御信号を送信するための手段とを含む。一態様では、第2のeNBによってD2D通信のために割り振られたリソースのセットの少なくとも一部分は、第1のeNBによってD2D通信のために割り振られたリソースのセットと異なる。装置104/104'は、第2のeNBとのX2インターフェース上で第2のeNBによってD2D通信のために割り振られた、1つまたは複数のネットワークファクタおよびリソースのセットのうちの少なくとも一部分を受信するための手段を含み得る。一態様では、装置104/104'は、D2D通信のために使用されるべき1つまたは複数のリソースのサブセットに対する優先順位を、第2のeNBによってD2D通信のために割り振られたリソースのセットのために決定するための手段と、1つまたは複数のリソースのサブセットの優先順位を送信するための手段とを含み得る。そのような態様では、装置104/104'は、優先順位に対してローカルセルIDをマッピングする表を送信するための手段を含み得る。一態様では、装置104/104'は、D2D通信のために割り振られたリソースのセットからUEによって選択されたリソースのサブセットを示す信号を受信するための手段と、D2D通信中に使用するためのリソースのサブセットを示す識別子を、制御チャネル上で送信するための手段とを含み得る。
【００８５】
上記の手段は、装置104の上記のモジュールおよび/または上記の手段によって記述される機能を実行するように構成された装置104'の処理システム1714のうちの1つまたは複数であってよい。
【００８６】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップを組み合わせるか、または省略することができる。添付の方法クレームは、様々なステップの要素を例示的な順序で提示したものであり、提示された特定の順序または階層に限定されるものではない。
【００８７】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。当業者に知られている、または後で知られることになる本開示全体にわたって説明する様々な態様の要素に対するすべての構造的および機能的均等物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【００８８】
100  LTEネットワークアーキテクチャ
102  ユーザ機器(UE)
104  発展型UMTS地上波無線アクセスネットワーク(E-UTRAN)
106  発展型ノードB(eNB)
108  他のeNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のIPサービス
【図１】
2015517779.tif 000003
【図２】
2015517779.tif 000004
【図３】
2015517779.tif 000005
【図４】
2015517779.tif 000006
【図５】
2015517779.tif 000007
【図６】
2015517779.tif 000008
【図７】
2015517779.tif 000009
【図８】
2015517779.tif 000010
【図９】
2015517779.tif 000011
【図１０】
2015517779.tif 000012
【図１１】
2015517779.tif 000013
【図１２】
2015517779.tif 000014
【図１３】
2015517779.tif 000015
【図１４】
2015517779.tif 000016
【図１５】
2015517779.tif 000017
【図１６】
2015517779.tif 000018
【図１７】
2015517779.tif 000019
【手続補正書】
【提出日】平成26年3月21日(2014.3.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1の発展型ノードB(eNB)によってデバイス間(D2D)通信のために割り振られたリソースのセットを示す制御信号を、第1のユーザ機器(UE)によって受信するステップと、
1つまたは複数のD2Dリソース決定計画に基づいて第2のUEとのD2D通信に使用するためのリソースのサブセットを決定するステップであって、前記第2のUEによる使用のために第2のeNBによってD2D通信のために割り振られたリソースのセットの少なくとも一部分が、前記第1のeNBによってD2D通信のために割り振られた前記リソースのセットと異なる、決定するステップと、
前記決定されたリソースのサブセットを前記第1のeNBにシグナリングするステップと、
共有チャネル上でD2D通信中に使用するための前記リソースのサブセットを示す識別子を、制御チャネル上で受信するステップとを含む、方法。
【請求項２】
前記制御信号が、無線リソース制御信号を含む、請求項1に記載の方法。
【請求項３】
D2D通信のために割り振られた前記リソースのセットが、システム情報ブロック(SIB)内で示される、請求項1に記載の方法。
【請求項４】
前記1つまたは複数のD2Dリソース決定計画のうちの1つが、前記第1のUEと前記第2のUEとの間でビットパターン情報を交換するステップを含み、前記第1のUEが前記第2のUEをページングする、請求項1に記載の方法。
【請求項５】
前記1つまたは複数のD2Dリソース決定計画のうちの1つが、
発見空間を区分に分割する情報を受信するステップと、
異なる区分に対する、D2D通信のためのリソース割振りの異なるパターンのマッピングを受信するステップとを含む、請求項1に記載の方法。
【請求項６】
前記第1のeNBによってD2D通信のために割り振られた前記リソースのセットを示す前記受信された制御信号に基づいて、前記発見空間の区分のうちの1つの中のピア発見信号をブロードキャストするステップをさらに含む、請求項5に記載の方法。
【請求項７】
前記1つまたは複数のD2Dリソース決定計画のうちの1つが、
D2D通信のために割り振られたリソースの数を有するセル識別子を受信するステップと、
D2D通信に利用可能なリソースのセットに対する前記セル識別子のマッピングを受信するステップとを含む、請求項1に記載の方法。
【請求項８】
前記受信されたセル識別子に基づいて前記D2D通信をスケジューリングするステップをさらに含む、請求項7に記載の方法。
【請求項９】
前記リソースのサブセットが、
隣接セル内のD2Dリソース割振りのセットか、または
1つまたは複数の特定されたリソースに対する干渉レベルのうちの少なくとも一方に基づいて決定される、請求項1に記載の方法。
【請求項１０】
ワイヤレス通信の方法であって、
1つまたは複数のネットワークファクタに基づいてデバイス間(D2D)通信に割り振るためのリソースのセットを、第1の発展型ノードB(eNB)によって決定するステップであって、第2のeNBによってD2D通信のために割り振られたリソースのセットの少なくとも一部分が、前記第1のeNBによってD2D通信のために割り振られた前記リソースのセットと異なる、決定するステップと、
D2D通信のために割り振られた前記リソースのセットを示す制御信号を送信するステップと、
D2D通信のために割り振られた前記リソースのセットからユーザ機器(UE)によって選択されたリソースのサブセットを示す信号を受信するステップとを含む、方法。
【請求項１１】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項10に記載の方法。
【請求項１２】
前記第2のeNBとのX2インターフェース上で前記第2のeNBによってD2D通信のために割り振られた、前記1つまたは複数のネットワークファクタおよび前記リソースのセットのうちの少なくとも一部分を受信するステップをさらに含む、請求項10に記載の方法。
【請求項１３】
前記決定するステップが、前記第2のeNBによってD2D通信のために割り振られたリソースのセットに対して、D2D通信のために使用されるべき1つまたは複数のリソースのサブセットに対する優先順位を決定するステップをさらに含み、
前記送信するステップが、前記1つまたは複数のリソースのサブセットの前記優先順位を送信するステップをさらに含む、請求項10に記載の方法。
【請求項１４】
前記送信するステップが、
前記優先順位に対してローカルセルIDをマッピングする表を送信するステップをさらに含む、請求項13に記載の方法。
【請求項１５】
D2D通信中に使用するための前記リソースのサブセットを示す識別子を、制御チャネル上で送信するステップをさらに含む、請求項10に記載の方法。
【請求項１６】
ワイヤレス通信のための装置であって、
第1の発展型ノードB(eNB)によってデバイス間(D2D)通信のために割り振られたリソースのセットを示す制御信号を、第1のユーザ機器(UE)によって受信するための手段と、
1つまたは複数のD2Dリソース決定計画に基づいて第2のUEとのD2D通信に使用するためのリソースのサブセットを決定するための手段であって、前記第2のUEによって使用するために第2のeNBによってD2D通信のために割り振られたリソースのセットの少なくとも一部分が、前記第1のeNBによってD2D通信のために割り振られた前記リソースのセットと異なる、決定するための手段と、
前記決定されたリソースのサブセットを前記第1のeNBにシグナリングするための手段と、
共有チャネル上でD2D通信中に使用するための前記リソースのサブセットを示す識別子を、制御チャネル上で受信するための手段とを含む、装置。
【請求項１７】
前記制御信号が、無線リソース制御信号を含む、請求項16に記載の装置。
【請求項１８】
D2D通信のために割り振られた前記リソースのセットが、システム情報ブロック(SIB)内で示される、請求項16に記載の装置。
【請求項１９】
前記1つまたは複数のD2Dリソース決定計画のうちの1つが、前記第1のUEと前記第2のUEとの間でビットパターン情報を交換するための手段を含み、前記第1のUEが前記第2のUEをページングする、請求項16に記載の装置。
【請求項２０】
前記1つまたは複数のD2Dリソース決定計画のうちの1つが、
発見空間を区分に分割する情報を受信するための手段と、
異なる区分に対する、D2D通信のためのリソース割振りの異なるパターンのマッピングを受信するための手段とを含む、請求項16に記載の装置。
【請求項２１】
前記第1のeNBによってD2D通信のために割り振られた前記リソースのセットを示す前記受信された制御信号に基づいて、前記発見空間の区分のうちの1つの中のピア発見信号をブロードキャストするための手段をさらに含む、請求項20に記載の装置。
【請求項２２】
前記1つまたは複数のD2Dリソース決定計画のうちの1つが、
D2D通信のために割り振られた前記リソースの数を有するセル識別子を受信するための手段と、
D2D通信に利用可能なリソースのセットに対する前記セル識別子のマッピングを受信するための手段とを含む、請求項16に記載の装置。
【請求項２３】
前記受信されたセル識別子に基づいて前記D2D通信をスケジューリングするための手段をさらに含む、請求項22に記載の装置。
【請求項２４】
前記リソースのサブセットが、
隣接セル内のD2Dリソース割振りのセットか、または
1つまたは複数の特定されたリソースに対する干渉レベルのうちの少なくとも一方に基づいて決定される、請求項16に記載の装置。
【請求項２５】
ワイヤレス通信のための装置であって、
1つまたは複数のネットワークファクタに基づいてデバイス間(D2D)通信に割り振るためのリソースのセットを、第1の発展型ノードB(eNB)によって決定するための手段であって、第2のeNBによってD2D通信のために割り振られたリソースのセットの少なくとも一部分が、前記第1のeNBによってD2D通信のために割り振られた前記リソースのセットと異なる、決定するための手段と、
D2D通信のために割り振られた前記リソースのセットを示す制御信号を送信するための手段と、
D2D通信のために割り振られた前記リソースのセットからユーザ機器(UE)によって選択されたリソースのサブセットを示す信号を受信するための手段とを含む、装置。
【請求項２６】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項25に記載の装置。
【請求項２７】
前記第2のeNBとのX2インターフェース上で前記第2のeNBによってD2D通信のために割り振られた、前記1つまたは複数のネットワークファクタおよび前記リソースのセットのうちの少なくとも一部分を受信するための手段をさらに含む、請求項25に記載の装置。
【請求項２８】
前記決定するための手段が、前記第2のeNBによってD2D通信のために割り振られたリソースのセットに対して、D2D通信のために使用されるべき1つまたは複数のリソースのサブセットに対する優先順位を決定するように構成され、
前記送信するための手段が、前記1つまたは複数のリソースのサブセットの前記優先順位を送信するように構成される、請求項25に記載の装置。
【請求項２９】
前記送信するための手段が、前記優先順位に対してローカルセルIDをマッピングする表を送信するように構成される、請求項28に記載の装置。
【請求項３０】
D2D通信中に使用するための前記リソースのサブセットを示す識別子を、制御チャネル上で送信するための手段をさらに含む、請求項25に記載の装置。
【請求項３１】
第1の発展型ノードB(eNB)によってデバイス間(D2D)通信のために割り振られたリソースのセットを示す制御信号を、第1のユーザ機器(UE)によって受信することと、
1つまたは複数のD2Dリソース決定計画に基づいて第2のUEとのD2D通信に使用するためのリソースのサブセットを決定することであって、前記第2のUEによって使用するために第2のeNBによってD2D通信のために割り振られたリソースのセットの少なくとも一部分が、前記第1のeNBによってD2D通信のために割り振られた前記リソースのセットと異なる、決定することと、
前記決定されたリソースのサブセットを前記第1のeNBにシグナリングすることと、
共有チャネル上でD2D通信中に使用するための前記リソースのサブセットを示す識別子を、制御チャネル上で受信することとを行うためのコードを含む、コンピュータプログラム。
【請求項３２】
前記制御信号が、無線リソース制御信号を含む、請求項31に記載のコンピュータプログラム。
【請求項３３】
D2D通信のために割り振られた前記リソースのセットが、システム情報ブロック(SIB)内で示される、請求項31に記載のコンピュータプログラム。
【請求項３４】
前記1つまたは複数のD2Dリソース決定計画のうちの1つが、前記第1のUEと前記第2のUEとの間でビットパターン情報を交換するためのコードを含み、前記第1のUEが前記第2のUEをページングする、請求項31に記載のコンピュータプログラム。
【請求項３５】
前記1つまたは複数のD2Dリソース決定計画のうちの1つが、
発見空間を区分に分割する情報を受信することと、
異なる区分に対する、D2D通信のためのリソース割振りの異なるパターンのマッピングを受信することとを行うためのコードを含む、請求項31に記載のコンピュータプログラム。
【請求項３６】
前記第1のeNBによってD2D通信のために割り振られた前記リソースのセットを示す前記受信された制御信号に基づいて、前記発見空間の区分のうちの1つの中のピア発見信号をブロードキャストするためのコードをさらに含む、請求項35に記載のコンピュータプログラム。
【請求項３７】
前記1つまたは複数のD2Dリソース決定計画のうちの1つが、
D2D通信のために割り振られた前記リソースの数を有するセル識別子を受信することと、
D2D通信に利用可能なリソースのセットに対する前記セル識別子のマッピングを受信することとを行うためのコードを含む、請求項31に記載のコンピュータプログラム。
【請求項３８】
前記受信されたセル識別子に基づいて前記D2D通信をスケジューリングするためのコードをさらに含む、請求項37に記載のコンピュータプログラム。
【請求項３９】
前記リソースのサブセットが、
隣接セル内のD2Dリソース割振りのセットか、または
1つまたは複数の特定されたリソースに対する干渉レベルのうちの少なくとも一方に基づいて決定される、請求項31に記載のコンピュータプログラム。
【請求項４０】
1つまたは複数のネットワークファクタに基づいてデバイス間(D2D)通信に割り振るためのリソースのセットを、第1の発展型ノードB(eNB)によって決定することであって、第2のeNBによってD2D通信のために割り振られたリソースのセットの少なくとも一部分が、前記第1のeNBによってD2D通信のために割り振られた前記リソースのセットと異なる、決定することと、
D2D通信のために割り振られた前記リソースのセットを示す制御信号を送信することと、
D2D通信のために割り振られた前記リソースのセットからユーザ機器(UE)によって選択されたリソースのサブセットを示す信号を受信することとを行うためのコードを含む、コンピュータプログラム。
【請求項４１】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項40に記載のコンピュータプログラム。
【請求項４２】
前記第2のeNBとのX2インターフェース上で前記第2のeNBによってD2D通信のために割り振られた、前記1つまたは複数のネットワークファクタおよび前記リソースのセットのうちの少なくとも一部分を受信するためのコードをさらに含む、請求項40に記載のコンピュータプログラム。
【請求項４３】
前記決定するためのコードが、前記第2のeNBによってD2D通信のために割り振られたリソースのセットに対して、D2D通信のために使用されるべき1つまたは複数のリソースのサブセットに対する優先順位を決定するためのコードをさらに含み、
前記送信するためのコードが、前記1つまたは複数のリソースのサブセットの前記優先順位を送信するためのコードをさらに含む、請求項40に記載のコンピュータプログラム。
【請求項４４】
前記送信するためのコードが、
前記優先順位に対してローカルセルIDをマッピングする表を送信するためのコードをさらに含む、請求項43に記載のコンピュータプログラム。
【請求項４５】
D2D通信中に使用するための前記リソースのサブセットを示す識別子を、制御チャネル上で送信するためのコードをさらに含む、請求項40に記載のコンピュータプログラム。
【請求項４６】
ワイヤレス通信のための装置であって、
第1の発展型ノードB(eNB)によってデバイス間(D2D)通信のために割り振られたリソースのセットを示す制御信号を受信することと、
1つまたは複数のD2Dリソース決定計画に基づいて第2のユーザ機器(UE)とのD2D通信に使用するためのリソースのサブセットを決定することであって、前記第2のUEによって使用するために第2のeNBによってD2D通信のために割り振られたリソースのセットの少なくとも一部分が、前記第1のeNBによってD2D通信のために割り振られた前記リソースのセットと異なる、決定することと、
前記決定されたリソースのサブセットを前記第1のeNBにシグナリングすることと、
共有チャネル上でD2D通信中に使用するための前記リソースのサブセットを示す識別子を、制御チャネル上で受信することとを行うように構成された処理システムを備える、装置。
【請求項４７】
前記制御信号が、無線リソース制御信号を含む、請求項46に記載の装置。
【請求項４８】
D2D通信のために割り振られた前記リソースのセットが、システム情報ブロック(SIB)内で示される、請求項46に記載の装置。
【請求項４９】
前記処理システムが、第1のUEと第2のUEとの間でビットパターン情報を交換するようにさらに構成され、前記第1のUEが前記第2のUEをページングする、請求項46に記載の装置。
【請求項５０】
前記処理システムが、
発見空間を区分に分割する情報を受信することと、
異なる区分に対する、D2D通信のためのリソース割振りの異なるパターンのマッピングを受信することとを行うようにさらに構成される、請求項46に記載の装置。
【請求項５１】
前記処理システムが、
前記第1のeNBによってD2D通信のために割り振られた前記リソースのセットを示す前記受信された制御信号に基づいて、前記発見空間の区分のうちの1つの中のピア発見信号をブロードキャストするようにさらに構成される、請求項50に記載の装置。
【請求項５２】
前記処理システムが、
D2D通信のために割り振られた前記リソースの数を有するセル識別子を受信することと、
D2D通信に利用可能なリソースのセットに対する前記セル識別子のマッピングを受信することとを行うようにさらに構成される、請求項46に記載の装置。
【請求項５３】
前記処理システムが、
前記受信されたセル識別子に基づいて前記D2D通信をスケジューリングするようにさらに構成される、請求項52に記載の装置。
【請求項５４】
前記リソースのサブセットが、
隣接セル内のD2Dリソース割振りのセットか、または
1つまたは複数の特定されたリソースに対する干渉レベルのうちの少なくとも一方に基づいて決定される、請求項46に記載の装置。
【請求項５５】
ワイヤレス通信のための装置であって、
1つまたは複数のネットワークファクタに基づいてデバイス間(D2D)通信に割り振るためのリソースのセットを決定することであって、第2の発展型ノードB(eNB)によってD2D通信のために割り振られたリソースのセットの少なくとも一部分が、第1のeNBによってD2D通信のために割り振られた前記リソースのセットと異なる、決定することと、
D2D通信のために割り振られた前記リソースのセットを示す制御信号を送信することと、
D2D通信のために割り振られた前記リソースのセットからユーザ機器(UE)によって選択されたリソースのサブセットを示す信号を受信することとを行うように構成された処理システムを備える、装置。
【請求項５６】
前記1つまたは複数のネットワークファクタが、
セル内のD2Dデバイスの数か、
前記セル内のD2Dサブフレーム上で検出されたエネルギーレベルか、
前記セル内のD2D通信において搬送されるトラフィックのタイプか、
隣接セル内のD2Dデバイスの数か、
前記隣接セル内のD2Dサブフレーム上で検出されたエネルギーレベルか、
前記隣接セル内のD2D通信において搬送されるトラフィックのタイプか、
前記隣接セル内で割り振られたD2Dリソースか、
前記セル内でUEによって報告された衝突の数か、
前記隣接セル内でUEによって報告された衝突の数か、
前記セルに対するD2Dトラフィックとワイドエリアネットワーク(WAN)トラフィックとの間の相対的重要性の値か、
前記隣接セルに対するD2DトラフィックとWANトラフィックとの間の相対的重要性の値か、または
WAN上の混雑状態のうちの少なくとも1つを含む、請求項55に記載の装置。
【請求項５７】
前記処理システムが、
前記第2のeNBとのX2インターフェース上で前記第2のeNBによってD2D通信のために割り振られた、前記1つまたは複数のネットワークファクタおよび前記リソースのセットのうちの少なくとも一部分を受信するようにさらに構成される、請求項55に記載の装置。
【請求項５８】
前記処理システムが、
前記第2のeNBによってD2D通信のために割り振られたリソースのセットに対して、D2D通信のために使用されるべき1つまたは複数のリソースのサブセットに対する優先順位を決定することと、
前記1つまたは複数のリソースのサブセットの前記優先順位を送信することとを行うようにさらに構成される、請求項55に記載の装置。
【請求項５９】
前記処理システムが、
前記優先順位に対してローカルセルIDをマッピングする表を送信するようにさらに構成される、請求項58に記載の装置。
【請求項６０】
前記処理システムが、
D2D通信中に使用するための前記リソースのサブセットを示す識別子を、制御チャネル上で送信するようにさらに構成される、請求項55に記載の装置。
【国際調査報告】
2015517779.tif 000020
2015517779.tif 000021
2015517779.tif 000022
2015517779.tif 000023
2015517779.tif 000024